(57)【要約】【課題】商品陳列棚に沿って移動する人からの視認性を高めながらも、プライスレールに安定した状態で取り付けることが可能なレール用表示具を提供する。【解決手段】レール用表示具は、シート状のラベル基材１１からなり、そのラベル基材１１が折り曲げられて所定形状とされることでプライスレール３１に取り付けられる。ラベル基材１１は、帯部１２と、帯部１２の長手方向の中間部から帯部１２の幅方向の一方側に延出する延出部１３とを備える。帯部１２には、長手方向における延出部１３の基端部よりも一方側に帯部１２の幅方向に延びる第１折り目１７が形成され、他方側に帯部１２の幅方向に延びる第２折り目１８が形成されている。ラベル基材１１において延出部１３と帯部１２との境界部にはその境界部に沿って延びる第３折り目１９が形成されている。延出部１３は、その一部に表面１１ａ及び裏面に所定の表示がされた表示部１４を有している。【選択図】      図３
2018042729.tif 000002
【特許請求の範囲】
【請求項１】
表面及び裏面を有するシート材からなり、そのシート材が折り曲げられて所定形状とされることで、商品陳列棚の前端部に設けられるプライスレールに取り付けられるレール用表示具であって、
前記シート材は、
帯状に形成された帯部と、
その帯部の長手方向の中間部から当該帯部の幅方向の一方側に延出する延出部と、
を備え、
前記帯部には、前記延出部の基端部よりも前記長手方向の一方側に、前記幅方向に延び前記表面側が山側となる第１折り目が形成され、前記基端部よりも前記長手方向の他方側に、前記幅方向に延び前記表面側が山側となる第２折り目が形成されており、
前記シート材における前記帯部と前記延出部との境界部又は前記延出部には、前記長手方向に延び前記表面側が谷側となる第３折り目が形成されており、
前記延出部において前記第３折り目よりも先端側には、前記表面及び前記裏面のうち少なくともいずれかに所定の表示がされた表示部が設けられていることを特徴とするレール用表示具。
【請求項２】
前記第１折り目及び前記第２折り目のうち少なくともいずれかの折り目は、前記帯部の長手方向に所定の間隔で複数形成されていることを特徴とする請求項１に記載のレール用表示具。
【請求項３】
前記帯部には、複数又は一の前記第１折り目が形成されているとともに、複数又は一の前記第２折り目が形成されており、
前記帯部において、前記長手方向における前記複数又は一の第１折り目よりも反第２折り目側は第１部分であり、
前記帯部において、前記長手方向における前記複数又は一の第２折り目よりも反第１折り目側は第２部分であり、
前記第２部分は、前記長手方向における長さが前記第１部分よりも長くなっていることを特徴とする請求項１又は２に記載のレール用表示具。
【請求項４】
前記帯部において、前記長手方向における前記複数又は一の第１折り目と前記複数又は一の第２折り目との間の部分は第３部分であり、
前記長手方向における前記第１部分の長さと前記第２部分の長さとの和は、前記長手方向における前記第３部分の長さよりも大きくなっていることを特徴とする請求項３に記載のレール用表示具。
【発明の詳細な説明】
【技術分野】
【０００１】
本発明は、商品陳列棚の前端部に設けられるプライスレールに取り付けられて用いられるレール用表示具に関するものである。
【背景技術】
【０００２】
従来より、スーパーマーケットやコンビニエンスストア等の店舗において、商品が陳列される商品陳列棚には、その前端部に、陳列された商品の名称や価格等を表示するプライスカード等のカード類を保持するためのプライスレールが取り付けられている。プライスレールは、陳列棚に取り付けられる取付部と、その取付部の前面側に設けられカード類を保持する保持部とを有している。保持部は、互いの下端部にて連結された前板部及び後板部を有しており、それら各板部の間にカード類が挿入されて保持されるようになっている。また、保持部において後板部の上端部は取付部の上端部と連結されている。
【０００３】
プライスレールには、陳列棚上の商品を広告宣伝等するための紙製の表示具（いわゆるＰＯＰ紙）が取り付けられる場合がある（例えば特許文献１参照）。かかるプライスレール用の表示具（以下、レール用表示具という）としては、帯状に形成された帯部の一端部に所定の広告表示がされた表示部が設けられたものがある。かかる表示具では、帯部の他端側が一端側に向けて折り返され、その折り返された部分が保持部の前板部上に引っ掛けられることで、帯部ひいてはレール用表示具がプライスレールに取り付けられるようになっている。
【先行技術文献】
【特許文献】
【０００４】
【特許文献１】特開２０１２−１３９８５号公報
【発明の概要】
【発明が解決しようとする課題】
【０００５】
ところで、プライスレールの前板部に帯部が引っ掛けられて取り付けられる上述のレール用表示具では、表示部がその表示面を陳列棚の前面側に向けて配置されることになる。そのため、店舗内で陳列棚に沿って移動する人からは表示部が目につきにくいことが考えられ、表示部による広告宣伝機能が上手く発揮されないおそれがある。
【０００６】
そこで、このような点に鑑みて、例えば表示部を帯部の一端側において帯部の幅方向の一方側に設け、そして、その表示部を帯部に対し前面側に直角をなすように折り曲げることで、表示部の表示面をプライスレールの長手方向に向けることが考えられる。この場合、プライスレールの長手方向に移動する人、つまりは陳列棚に沿って移動する人から表示部を見易くすることができる。
【０００７】
しかしながら、かかる構成とすると、表示部が帯部の幅方向の一方側で支持されることとなるため、表示部の重みで前板部に引っ掛けられた帯部ひいてはレール用表示具がプライスレールに対して傾いてしまう等、当該表示具を安定した状態でプライスレールに取り付けることが困難になるおそれがある。
【０００８】
本発明は、上記事情に鑑みてなされたものであり、商品陳列棚に沿って移動する人からの視認性を高めながらも、プライスレールに安定した状態で取り付けることが可能なレール用表示具を提供することを主たる目的とするものである。
【課題を解決するための手段】
【０００９】
上記目的を達成すべく、第１の発明のレール用表示具は、表面及び裏面を有するシート材からなり、そのシート材が折り曲げられて所定形状とされることで、商品陳列棚の前端部に設けられるプライスレールに取り付けられるレール用表示具であって、前記シート材は、帯状に形成された帯部と、その帯部の長手方向の中間部から当該帯部の幅方向の一方側に延出する延出部と、を備え、前記帯部には、前記延出部の基端部よりも前記長手方向の一方側に、前記幅方向に延び前記表面側が山側となる第１折り目が形成され、前記基端部よりも前記長手方向の他方側に、前記幅方向に延び前記表面側が山側となる第２折り目が形成されており、前記シート材における前記帯部と前記延出部との境界部又は前記延出部には、前記長手方向に延び前記表面側が谷側となる第３折り目が形成されており、前記延出部において前記第３折り目よりも先端側には、前記表面及び前記裏面のうち少なくともいずれかに所定の表示がされた表示部が設けられていることを特徴とすることを特徴とする。
【００１０】
本発明のレール用表示具は、帯部と延出部とを備えるシート材からなり、そのシート材が折り曲げられて所定形状とされることで、プライスレールに取り付けられるものとなっている。シート材には、当該シート材を所定形状に折り曲げるための折り目が複数形成されている。具体的には、かかる折り目として、帯部には、その長手方向における延出部の基端部よりも一方側に第１折り目が形成され、他方側に第２折り目が形成されている。また、シート材における帯部と延出部との境界部又は延出部には第３折り目が形成されている。
【００１１】
ここで、上記シート材が所定形状に折り曲げられる際には、帯部が第１折り目に沿って表面側が山側となるように山折りされることで、帯部において第１折り目よりも長手方向の一方側（つまり反第２折り目側）の部分（以下、第１部分という）が同方向の他方側に向けて折り返された状態とされる。また、これと同様に、帯部が第２折り目に沿って表面側が山側となるように山折りされることで、帯部において第２折り目よりも長手方向の他方側（つまり反第１折り目側）の部分（以下、第２部分という）が同方向の一方側に向けて折り返された状態とされる。この際、第２部分については、帯部における第１折り目と第２折り目との間の部分（以下、第３部分という）に対し１８０°の角度で折り返されるのではなく、第３部分に対し外側に開いた（傾いた）状態で折り返される。さらに、延出部において第３折り目よりも先端側の部分が、表面側に向け第３折り目に沿って折り曲げられることで（谷折りされることで）、当該先端側の部分が帯部側（詳しくは第３部分）に対し直角をなすように配置される。
【００１２】
上記のように所定形状に折り曲げられたシート材（レール用表示具）は、その帯部がプライスレールに対して取り付けられる。この場合、帯部は、その第３部分が表面を前側に向けかつ長手方向をプライスレールの幅方向（上下方向）に向けた状態で、プライスレールの保持部の前面側に配置される。この際、帯部は、第１部分が上側、第２部分が下側となるように配置され、その配置状態で第１部分が保持部の前板部及び後板部の間に上方から挿入され、第２部分が保持部と取付部との間に下方から挿入される。これにより、第１部分と第３部分との折り返し部分が前板部上に引っ掛けられるとともに、第２部分が取付部に対して係止される。具体的には、第２部分については、第３部分側に畳まれた（近づけられた）状態で保持部と取付部との間に挿入され、その挿入状態で第２部分が元の開いた状態へ戻ろうとする力（復元力）で取付部に対し係止される。このように、帯部はプライスレールに引っ掛けられるだけでなくプライスレールに係止されるため、この場合、帯部ひいてはレール用表示具をプライスレールに安定した状態で取り付けることが可能となる。
【００１３】
また、かかるレール用表示具の取付状態では、延出部において第３折り目よりも先端側の部分が帯部から前方に突出した状態とされる。この場合、この先端側の部分には表示部が設けられているため、その表示部の表示面はプライスレールの長手方向を向くこととなる。そのため、その表示部を商品陳列棚に沿って移動する人から見易くすることができる。また、この場合、上記先端側の部分は帯部の幅方向の他端側において支持されることとなるが、上記のように、帯部はプライスレールに安定した状態で取り付けられるため、この場合、商品陳列棚に沿って移動する人からの視認性を高めつつ、安定した状態でレール用表示具をプライスレールに取り付けることが可能となる。
【００１４】
第２の発明のレール用表示具は、第１の発明において、前記第１折り目及び前記第２折り目のうち少なくともいずれかの折り目は、前記帯部の長手方向に所定の間隔で複数形成されていることを特徴とする。
【００１５】
本発明によれば、第１折り目及び第２折り目のうち少なくともいずれかの折り目については帯部の長手方向に複数形成されているため、それら複数の折り目で帯部を山折りすることで第１部分と第３部分との間の折り返し（又は第２部分と第３部分との間の折り返し）を緩やかに行うことが可能となる。これにより、プライスレールの保持部において上記折り返しの内側に配置される部分が所定の前後長さを有している場合にも、その前後長さを吸収することが可能となるため、帯部ひいてはレール用表示具を好適にプライスレールに取り付けることが可能となる。
【００１６】
また、複数の折り目で山折りして折り返しを行う上記の構成では、折り返しの頂点高さをある程度上下に調整することができる。そのため、プライスレールの保持部の幅（上下幅）に応じて折り返しの頂点高さを調整することで、保持部の幅に合わせて帯部をプライスレールに取り付けることが可能となる。
【００１７】
第３の発明のレール用表示具は、第１又は第２の発明において、前記帯部には、複数又は一の前記第１折り目が形成されているとともに、複数又は一の前記第２折り目が形成されており、前記帯部において、前記長手方向における前記複数又は一の第１折り目よりも反第２折り目側は第１部分であり、前記帯部において、前記長手方向における前記複数又は一の第２折り目よりも反第１折り目側は第２部分であり、前記第２部分は、前記長手方向における長さが前記第１部分よりも長くなっていることを特徴とする。
【００１８】
一般に、プライスレールは、その取付部が商品陳列棚の前端部上に取り付けられ、その取付状態において保持部が商品陳列棚の前面を覆うように設けられる。この場合、取付部と保持部とで上下方向の長さを比べると、保持部が取付部よりも長くなる。その点本発明では、帯部の長手方向における第２部分の長さが第１部分よりも長くなっているため、上記のプライスレールにおいても、第２部分を保持部と取付部との間に挿入し当該取付部に確実に係止させることが可能となる。
【００１９】
第４の発明のレール用表示具は、第１乃至第３のいずれかの発明において、前記帯部において、前記長手方向における前記複数又は一の第１折り目と前記複数又は一の第２折り目との間の部分は第３部分であり、前記長手方向における前記第１部分の長さと前記第２部分の長さとの和は、前記長手方向における前記第３部分の長さよりも大きくなっていることを特徴とする。
【００２０】
本発明によれば、取付部よりも保持部の方が上下長さの長い上述のプライスレールに帯部を取り付けるにあたり、帯部の第２部分をより確実に取付部に係止させることが可能となる。
【図面の簡単な説明】
【００２１】
【図１】レール用表示具を展開した状態で示す平面図。
【図２】レール用表示具を折り曲げて所定形状にした状態を示す斜視図。
【図３】レール用表示具がプライスレールに取り付けられた状態を示す斜視図。
【図４】レール用表示具がプライスレールに取り付けられた状態を示す側面図。
【発明を実施するための形態】
【００２２】
以下、本発明を具体化した一実施形態を図面に従って説明する。本実施形態では、スーパーマーケット等の店舗において、商品を陳列する商品陳列棚に設けられるプライスレールに取り付けられて用いられる宣伝広告用の表示具（以下、レール用表示具という）について具体化している。図１は、そのレール用表示具を展開した状態で示す平面図であり、図２は、レール用表示具を折り曲げて所定形状にした状態を示す斜視図である。
【００２３】
図１に示すように、レール用表示具１０は、シート状に形成された一のラベル基材１１からなり、そのラベル基材１１は表面１１ａと裏面１１ｂとを有している。ラベル基材１１は、上質紙やコート紙等の紙素材により形成され、可撓性（弾性）を有している。また、ラベル基材１１は、その厚みが０．１ｍｍ〜１ｍｍ程度とされている。なお、ラベル基材１１の材質としては、必ずしも紙素材を用いる必要はなく、ユポ（登録商標）等の合成紙や、ポリプロピレン（ＰＰ）等の合成樹脂を用いてもよい。また、ラベル基材１１がシート材に相当する。
【００２４】
ラベル基材１１は、帯状（換言すると長尺矩形状）に形成された帯部１２と、その帯部１２の長手方向の中間部から帯部１２の幅方向の一方側に延出する延出部１３とを備える。ラベル基材１１は、それら帯部１２と延出部１３とが一体形成されてなる。
【００２５】
帯部１２は、その長手方向の全域に亘って所定（一定）の幅で形成されている。帯部１２は、後述するように、レール用表示具１０が所定形状に折り曲げられた状態において、プライスレールに取り付けられる部分となる。
【００２６】
延出部１３は、帯部１２から離間して設けられた表示部１４と、その表示部１４と帯部１２とを連結する連結部１５とを有する。表示部１４は、円形状に形成され、その表面１１ａと裏面１１ｂとにはそれぞれ広告宣伝用の所定の表示がされている。本実施形態では、表面１１ａと裏面１１ｂとにいずれも同じ所定の表示がされている。
【００２７】
なお、表示部１４の形状は必ずしも円形状である必要はなく、四角形状等他の形状であってもよい。また、表示部１４には、必ずしも表面１１ａと裏面１１ｂとの両面１１ａ，１１ｂに所定の表示がされる必要はなく、それら両面１１ａ，１１ｂのうちいずれか一方にだけ所定の表示がされていてもよい。
【００２８】
連結部１５は、帯部１２と表示部１４との間において、帯部１２の長手方向と直交する方向に延びている。連結部１５は、その幅つまりは帯部１２の長手方向における長さが、表示部１４の同方向の長さ（表示部１４の直径）よりも小さくされている。また、連結部１５には、その表面１１ａと裏面１１ｂとのいずれにも、広告宣伝用の表示がされていない。そのため、連結部１５は非表示部となっている。
【００２９】
帯部１２には、その長手方向における連結部１５（の基端部）よりも一方側に第１折り目１７が形成されている。第１折り目１７は、帯部１２の幅方向に延びており、表面１１ａ側が山側となるように形成されている。第１折り目１７は、帯部１２の長手方向に所定の間隔（詳しくは等間隔）で複数形成され、本実施形態では３つの第１折り目１７が形成されている。
【００３０】
各第１折り目１７はいずれも帯部１２の幅方向の中間部に形成されている。帯部１２には、その幅方向における第１折り目１７を挟んだ両側にそれぞれ切り込み２１が形成されている。これらの切り込み２１は、第１折り目１７の端部から帯部１２の端縁に亘って第１折り目１７と同方向に延びている。
【００３１】
帯部１２には、その長手方向における連結部１５（の基端部）よりも他方側（つまり、反第１折り目１７側）に第２折り目１８が形成されている。第２折り目１８は、帯部１２の幅方向に延びており、表面１１ａ側が山側となるように形成されている。第２折り目１８は、帯部１２の長手方向に所定の間隔（詳しくは等間隔）で複数形成され、本実施形態では３つの第２折り目１８が形成されている。したがって、本実施形態では、第２折り目１８の数と第１折り目１７の数とがいずれも同じとなっている。また、第２折り目１８の間隔は第１折り目１７の間隔と同じとなっている。
【００３２】
各第２折り目１８はいずれも帯部１２の幅方向の中間部に形成されている。帯部１２には、その幅方向における第２折り目１８を挟んだ両側にそれぞれ切り込み２２が形成されている。これらの切り込み２２は、第２折り目１８の端部から帯部１２の端縁に亘って第２折り目１８と同方向に延びている。
【００３３】
帯部１２において、その長手方向における複数の第１折り目１７よりも一方側の部分つまりは反第２折り目１８側の部分は第１部分２５となっている。また、帯部１２において、その長手方向における複数の第２折り目１８よりも他方側の部分つまりは反第１折り目１７側の部分は第２部分２６となっている。さらに、帯部１２において、その長手方向における複数の第１折り目１７と複数の第２折り目１８との間の部分は第３部分２７となっている。
【００３４】
ここで、帯部１２の長手方向における第１部分２５の長さをＬ１、第２部分２６の長さをＬ２とした場合、Ｌ２はＬ１よりも大きくなっている（Ｌ２＞Ｌ１）。詳しくは、Ｌ２はＬ１の２倍と同じ大きさか又はそれよりも大きくなっている（Ｌ２≧Ｌ１×２）。また、帯部１２の長手方向における第３部分２７の長さをＬ３とした場合、Ｌ２はＬ３の半分よりも大きい長さとなっている（Ｌ２×２＞Ｌ３）。また、Ｌ１とＬ２との和はＬ３よりも大きくなっている（Ｌ１＋Ｌ２＞Ｌ３）。
【００３５】
第３部分２７には延出部１３（連結部１５）が連結されている。連結部１５は、その幅が第３部分２７の長手方向の長さの半分又はそれよりも小さくされ、第３部分２７における長手方向の中央部に連結されている。また、表示部１４は、その直径が第３部分２７の長手方向の長さよりも大きくされている。
【００３６】
ラベル基材１１において帯部１２と延出部１３（詳しくは連結部１５）との境界部２４には第３折り目１９が形成されている。第３折り目１９は、上記境界部２４（換言すると帯部１２の長手方向）に沿って延びており、詳しくは上記境界部２４全域に亘って延びている。第３折り目１９は、表面１１ａ側が谷側となるように形成されている。
【００３７】
ここで、本レール用表示具１０は、ラベル基材１１が各折り目１７〜１９に沿って折り曲げられることで所定形状とされ、その所定形状の状態でプライスレール３１に取り付けられるものとなっている。そこで、以下では、その所定形状の状態におけるレール用表示具１０（ラベル基材１１）の構成について説明する。なお、以下では、所定形状のレール用表示具１０の符号にＸを付し、それにより、所定形状のレール用表示具１０Ｘを展開状態のレール用表示具１０と区別することとする。
【００３８】
図２に示すように、所定形状のレール用表示具１０Ｘでは、帯部１２が第１折り目１７に沿って表面１１ａ側が山側となるように山折りされることで、帯部１２の長手方向の一方側に設けられた第１部分２５が同方向の他方側に向けて折り返された状態となっている。具体的には、帯部１２が各第１折り目１７でそれぞれ山折りされることで、第１部分２５が上記折り返された状態となっている。
【００３９】
これと同様に、帯部１２が第２折り目１８に沿って表面１１ａ側が山側となるように山折りされることで、帯部１２の長手方向の他方側に設けられた第２部分２６が同方向の一方側に向けて折り返された状態となっている。具体的には、帯部１２が各第２折り目１８でそれぞれ山折りされることで、第２部分２６が上記折り返された状態となっている。より具体的には、第２部分２６は、第３部分２７に対して１８０°の角度で折り返されているわけでなく、第３部分２７に対して外側に開いた（傾斜した）状態で折り返されている。例えば、第２部分２６は、第３部分２７に対して３０°〜４５°開いた状態で折り返されている。
【００４０】
延出部１３は、第３折り目１９に沿って表面１１ａ側が谷側となるように帯部１２に対して折り曲げられている（谷折りされている）。この場合、延出部１３は、帯部１２に対して直角をなすように折り曲げられている。
【００４１】
次に、所定形状に折り曲げられた上記のレール用表示具１０Ｘが、商品陳列棚３２に設けられるプライスレール３１に取り付けられた状態の構成について図３及び図４を用いながら説明する。図３は、レール用表示具１０Ｘがプライスレール３１に取り付けられた状態を示す斜視図である。図４は、レール用表示具１０Ｘがプライスレール３１に取り付けられた状態を示す側面図である。なお、以下の説明では、商品陳列棚３２を正面視した場合に、その陳列棚３２の手前側を前側、陳列棚３２の奥側を後側とする。
【００４２】
図４に示すように、プライスレール３１は、商品が陳列される商品陳列棚３２の前端部に沿って取り付けられている。プライスレール３１は、陳列された商品の名称や価格等を表示するプライスカードを保持するものであり、透明性を有する樹脂材料により形成されている。
【００４３】
図３及び図４に示すように、プライスレール３１は、商品陳列棚３２の前端部に取り付けられる取付部３３と、その取付部３３の前側に設けられプライスカードを保持する保持部３４とを有している。取付部３３と保持部３４とはいずれも上下に延びており、互いの上端部にてヒンジ３５を介して連結されている。
【００４４】
取付部３３は、商品陳列棚３２の前端部において上方に立ち上がる板状の立ち上がり部３２ａに取り付けられている。取付部３３は、その上端部から下方に延びて立ち上がり部３２ａを前後に挟持する一対の挟持部３３ａ，３３ｂを有している。取付部３３は、これら挟持部３３ａ，３３ｂにより立ち上がり部３２ａを挟持することで当該立ち上がり部３２ａに取り付けられている。
【００４５】
保持部３４は、その上下方向の長さ（上下幅）が取付部３３よりも長くなっており、その下部が商品陳列棚３２の前面を覆った状態で配置されている。保持部３４は、前後に対向する前板部３４ａ及び後板部３４ｂを有しており、それら各板部３４ａ，３４ｂが互いの下端部にて曲げ部３４ｃを介して連結されている。保持部３４では、前板部３４ａと後板部３４ｂとの間にプライスカードが挿入され保持されるようになっている。また、保持部３４において後板部３４ｂの上端部が取付部３３の上端部とヒンジ３５を介して連結されている。
【００４６】
なお、保持部３４についてより詳しくは、前板部３４ａは、その上端側が前側に向けて湾曲された湾曲部３４ｄとなっている。また、曲げ部３４ｃは、その前後長さが前板部３４ａと後板部３４ｂとの対向部分よりも大きくなるように曲げられている。
【００４７】
続いて、プライスレール３１に対するレール用表示具１０Ｘの取付構成について説明する。
【００４８】
レール用表示具１０Ｘは、その帯部１２がプライスレール３１に対して取り付けられている。帯部１２は、その第３部分２７が表面１１ａを前側に向けかつ長手方向をプライスレール３１の幅方向（上下方向）に向けた状態で保持部３４の前面側に配置されている。この場合、帯部１２は、第１部分２５が上側、第２部分２６が下側となるように配置され、その配置状態で第１部分２５が保持部３４の各板部３４ａ，３４ｂの間に上方から挿入され、第２部分２６が保持部３４（後板部３４ｂ）と取付部３３との間に下方から挿入されている。これにより、第１部分２５と第３部分２７との折り返し部分が前板部３４ａ上に引っ掛けられるとともに、第２部分２６が取付部３３詳しくは前側の挟持部３３ａに対して係止された状態とされている。詳しくは、第２部分２６については、第３部分２７側に畳まれた（近づけられた）状態で保持部３４と取付部３３との間に挿入され、その挿入状態で第２部分２６が元の開いた状態へ戻ろうとする力（復元力）で取付部３３に対し係止されている。このように、帯部１２はプライスレール３１に引っ掛けられるだけでなくプライスレール３１に係止された状態とされているため、この場合、帯部１２ひいてはレール用表示具１０Ｘをプライスレール３１に安定した状態で取り付けることが可能となる。
【００４９】
また、かかるレール用表示具１０Ｘの取付状態では、延出部１３が帯部１２から前方に突出した状態とされている。この場合、延出部１３には表示部１４が設けられているため、その表示部１４の表示面がプライスレール３１の長手方向を向いた状態とされている。これにより、その表示部１４をプライスレール３１の長手方向に移動する人（例えば購入者）、つまりは商品陳列棚３２に沿って移動する人から見易くすることができる。
【００５０】
また、この場合、延出部１３が帯部１２の幅方向の他端部にて支持されることとなるが、上記のように、帯部１２はプライスレール３１に安定した状態で取り付けられているため、この場合、商品陳列棚３２に沿って移動する人からの視認性を高めつつ、レール用表示具１０Ｘを安定した状態でプライスレール３１に取り付けることが可能となる。
【００５１】
以上、詳述した本実施形態の構成によれば、以下の優れた効果が得られる。
【００５２】
第１折り目１７及び第２折り目１８をそれぞれ帯部１２の長手方向に所定の間隔で複数形成した。この場合、複数の第１折り目１７で帯部１２を山折りすることで第１部分２５と第３部分２７との間の折り返しを緩やかに行うことが可能となる。また、複数の第２折り目１８で帯部１２を山折りすることで第２部分２６と第３部分２７との間の折り返しを緩やかに行うことが可能となる。これにより、保持部３４においてそれら折り返しの内側に配置される部分（例えば湾曲部３４ｄや曲げ部３４ｃ）が所定の前後長さを有している場合にも、その前後長さを吸収することが可能となるため、帯部１２ひいてはレール用表示具１０Ｘを好適にプライスレール３１に取り付けることが可能となる。
【００５３】
また、複数の折り目１７，１８で山折りして折り返しを行う上記の構成では、折り返しの頂点高さをある程度上下に調整することができる。そのため、プライスレール３１の保持部３４の幅（上下幅）に応じて折り返しの頂点高さを調整することで、保持部３４の幅に合わせて帯部１２をプライスレール３１に取り付けることが可能となる。
【００５４】
プライスレール３１は、その取付部３３と保持部３４とで上下長さを比べると、保持部３４が取付部３３よりも長くなっているのが一般である。その点、上記の実施形態では、帯部１２の長手方向における第２部分２６の長さＬ２を第１部分２５の長さＬ１よりも長くしたため、かかるプライスレール３１においても、第２部分２６を保持部３４と取付部３３との間に挿入し当該取付部３３に確実に係止させることが可能となる。
【００５５】
また、帯部１２の長手方向における第１部分２５の長さＬ１と第２部分２６の長さＬ２との和を、同方向における第３部分２７の長さＬ３よりも大きくしたため、第２部分２６をより確実に取付部３３に係止させることが可能となる。
【００５６】
延出部１３を帯部１２に対して第３折り目１９に沿って前方に折り曲げたことで、延出部１３を帯部１２に対してプライスレール３１の長手方向に揺れ動かすことができる。そのため、その点でも延出部１３に設けられた表示部１４を人目につき易くすることができる。
【００５７】
また、延出部１３を、帯部１２から離間して設けられた表示部１４と、その表示部１４と帯部１２とを連結する連結部１５とを有して構成し、連結部１５については帯部１２の長手方向における長さを表示部１４よりも小さくした。この場合、延出部１３を帯部１２に対してプライスレール３１の長手方向に揺れ動かし易くすることができるため、表示部１４をより一層人目につき易くすることができる。
【００５８】
ラベル基材１１における帯部１２と延出部１３との境界部２４に沿って第３折り目１９を設けたため、延出部１３を第３折り目１９に沿って帯部１２に対し前方に折り曲げた場合に、延出部１３を帯部１２の幅方向の端部にて支持することができる。例えば、第３折り目１９が連結部１５の途中に設けられる構成では、延出部１３において第３折り目１９よりも先端側の部分が第３折り目１９に沿って前方に折り曲げられることとなるが、その場合、当該先端側の部分が帯部１２の幅方向の端部よりも外側にて支持されることとなる。そのため、当該先端側の部分の重みにより帯部１２が傾いてしまう等の事態が生じ易くなると考えられる。この点、延出部１３（換言すると延出部１３において第３折り目１９よりも先端側の部分）を帯部１２の幅方向の端部にて支持する上述の構成では、上記の事態が生じにくく、その結果、帯部１２ひいてはレール用表示具１０Ｘをより安定した状態でプライスレール３１に取り付けることが可能となる。
【００５９】
本発明は上記実施形態に限らず、例えば次のように実施されてもよい。
【００６０】
・上記実施形態では、第１折り目１７を帯部１２の長手方向に３つ設けたが、これを変更して、第１折り目１７を２つ又は４つ以上設けるようにしてもよい。また、これと同様に、上記実施形態では、第２折り目１８を帯部１２の長手方向に３つ設けたが、第２折り目１８を２つ又は４つ以上設けるようにしてもよい。さらに、第１折り目１７及び第２折り目１８は必ずしも複数ずつ設ける必要はなく、これら各折り目１７，１８のうちいずれか一方の折り目のみを複数設けるようにしてもよい。なお、各折り目１７，１８のそれぞれを１つずつ設けるようにしてもよい。
【００６１】
・上記実施形態では、帯部１２において第１部分２５の長さＬ１と第２部分２６の長さＬ２との和を第３部分２７の長さＬ３よりも大きくしたが（Ｌ１＋Ｌ２＞Ｌ３）、第２部分２６をプライスレール３１の取付部３３に係止させることが可能であれば、Ｌ１とＬ２との和をＬ３と同じか又はそれよりも小さくしてもよい（Ｌ１＋Ｌ２≦Ｌ３）。また、上記実施形態では、第２部分２６の長さＬ２を第１部分２５の長さＬ１よりも長くしたが（Ｌ２＞Ｌ１）、第２部分２６を取付部３３に係止させることが可能であれば、Ｌ２をＬ１と同じか又はそれよりも短くしてもよい（Ｌ２≦Ｌ１）。
【００６２】
・上記実施形態では、第３折り目１９をラベル基材１１において帯部１２と連結部１５との境界部２４に設けたが、第３折り目１９をラベル基材１１において連結部１５又は連結部１５と表示部１４との境界部に設けてもよい。この場合にも、第３折り目１９を帯部１２の長手方向に沿って形成すれば、延出部１３において第３折り目１９よりも先端側を同折り目１９に沿って表面１１ａ側に折り曲げることで、表示部１４の表示面をプライスレール３１の長手方向に向けることができる。このため、商品陳列棚３２に沿って移動する人からの視認性を高めることができる。
【００６３】
・上記実施形態では、帯部１２において第１折り目１７を挟んだ両側に切り込み２１を設けたが、これらの切り込み２１を設けずに帯部１２の幅方向の全域に亘って第１折り目１７を形成してもよい。これと同様に、帯部１２において第２折り目１８を挟んだ両側に切り込み２２を設けることに代え、帯部１２の幅方向の全域に亘って第２折り目１８を形成してもよい。
【００６４】
また、上記実施形態では、ラベル基材１１における帯部１２と延出部１３との境界部２４全域に亘り第３折り目１９を形成したが、これを変更して、第３折り目１９を境界部２４の中間部にのみ形成し、同境界部２４における第３折り目１９を挟んだ両側には切り込みを設けるようにしてもよい。
【００６５】
・上記実施形態では、延出部１３の一部を表示部１４としたが、延出部１３の全部を表示部１４としてもよい。
【００６６】
・上記実施形態では、プライスレール３１として、その取付部３３が商品陳列棚３２の立ち上がり部３２ａに挟持状態で取り付けられる挟持式のものを用いたが、プライスレール３１としては、それ以外に、取付部３３の下端部が商品陳列棚３２の上面に形成された溝部に挿し込まれて取り付けられる挿込式のものもある。そこで、かかる挿込式のプライスレール３１に本発明のレール用表示具１０を適用してもよい。かかるプライスレール３１も、商品陳列棚３２上に取り付けられる関係で、その上下長さが取付部３３よりも保持部３４の方が長くなっている。この点、上記のレール用表示具１０では、第２部分２６の長さＬ２が第１部分２５の長さＬ１よりも長くなっているため、この場合にも、第２部分２６を取付部３３に確実に係止させることが可能となる。
【００６７】
また、プライスレール３１としては、商品陳列棚３２の前面に取り付けられる前面取付式のものも考えられる。前面取付式の場合には、取付部３３が商品陳列棚３２の前面に取り付けられ、取付部３３と保持部３４とで上下長さがほぼ同じとなる。そこで、かかる前面取付式のプライスレール３１に本発明のレール用表示具１０を適用してもよい。
【符号の説明】
【００６８】
１０…レール用表示具、１１…ラベル基材、１２…帯部、１３…延出部、１４…表示部、１５…連結部、１７…第１折り目、１８…第２折り目、１９…第３折り目、２５…第１部分、２６…第２部分、２７…第３部分、３１…プライスレール、３２…商品陳列棚。
【図１】
2018042729.tif 000003
【図２】
2018042729.tif 000004
【図３】
2018042729.tif 000005
【図４】
2018042729.tif 000006